(57)【要約】【課題】  簡易な方法で複写対象原稿を分割して画像形成装置に読み込み印刷を実行する。【解決手段】  ネットワークに接続された画像形成装置やネットワーク対応スキャナを用いて印字データをターゲットとする画像形成装置に送信し、ターゲットとなる画像形成装置が全てのジョブを受信し終えたら、受信したデータをソートして印刷を実行する。【選択図】  図１
2006237988.tif 000002
【特許請求の範囲】
【請求項１】
ネットワークに接続可能な画像形成装置において、複写対象原稿を複数部数に分けて各々異なる画像形成装置で読み込む為の、分割読み込みモード設定手段、読み込んだ複写対象原稿のデータをある決定した画像形成装置に収集する為の、分割データ収集認識手段、収集した印刷データが分割読み込み指定で画像形成装置に読み込まれたか否かを判断するタグ解析手段、ある決定した画像形成装置が受信したデータを記録装置に振り分ける受信データ格納手段、ある決定した画像形成装置が受信したデータの印刷順番をスケジューリングするスケジューリング手段を備えることを特徴とする画像形成装置。
【発明の詳細な説明】
【技術分野】
【０００１】
本発明は、ネットワークに接続された画像形成装置やネットワーク対応スキャナを用いて印字データをターゲットとする画像形成装置に送信し、ターゲットとなる画像形成装置が全てのジョブを受信し終えたら、受信したデータをソートして印刷を実行する画像形成装置に関する。
【背景技術】
【０００２】
オートフィーダに積載する原稿数量は、オートフィーダ毎に決定されている。オートフィーダに積載可能な原稿数量以上の複写対象原稿を複写するとき、複写対象原稿を複数に分割し、各々の複写対象原稿を画像形成装置で読み込み、複写を実行して複写が終了したら原稿を並び替えたり、画像形成装置が読み込みデータを格納する機能を有していたら、その記録装置に読み込みデータを格納し、全てのデータを読み込み終えてから記録装置に格納された読み込みデータを複写していた。
【０００３】
又、別の従来例としては、特許文献１及び特許文献２をあげることが出来る。
【特許文献１】特開２００２−２９０６６０号公報
【特許文献２】特開平０７−２８３９３３号公報
【発明の開示】
【発明が解決しようとする課題】
【０００４】
そのため、複写対象原稿が多い場合、複数に分ける数も多くなり画像形成装置に原稿を読み込ませるのに時間を要していた。
【課題を解決するための手段】
【０００５】
上記課題を解決するために、本発明の画像形成装置は、ネットワークに接続可能な画像形成装置において、複写対象原稿を複数部数に分けて各々異なる画像形成装置で読み込む為の、分割読み込みモード設定手段、読み込んだ複写対象原稿のデータをある決定した画像形成装置に収集する為の、分割データ収集認識手段、収集した印刷データが分割読み込み指定で画像形成装置に読み込まれたか否かを判断するタグ解析手段、ある決定した画像形成装置が受信したデータを記録装置に振り分ける受信データ格納手段、ある決定した画像形成装置が受信したデータの印刷順番をスケジューリングするスケジューリング手段を備えることを特徴とする画像形成装置である。
【発明の効果】
【０００６】
本発明により、画像形成装置に装着されているオートフィーダーに複写対象原稿を一度にセットできないくらい複写対象原稿が多い場合に、複写対象原稿を複数に分割し、複数台の画像形成装置にセットして原稿の複写を実行できる。それにより、複写対象原稿を複数に分割する数が多くなった場合に複写対象原稿を読み込ませる時間を短縮できる。加えて、複数拠点で手書き等で作成した文書を一つにまとめて印刷するような用途にも利用可能となる。
【発明を実施するための最良の形態】
【０００７】
以下添付図面を参照して、本発明に係る好適な実施例を詳細に説明する。
【実施例１】
【０００８】
図１は、本実施例１の形態における分割読み込みモード印刷のフローを明示したものである。ステップＳ１０１は、受信した印字データに付加されているヘッダ情報を解析する処理を行なう。ステップＳ１０２は、ステップＳ１０１で解析したヘッダ情報から当該画像形成装置が受信した受信データが分割読み込みモードにて他の画像形成装置から読み込まれ、そして当該画像形成装置に送信されてきたものか否かを判定する処理を行い、分割読み込みモードで他の画像形成装置から読み込まれ、そして当該画像形成装置に送信された印字データである場合にはステップＳ１０３の処理を、分割読み込みモードに対応していない受信データであった場合にはステップＳ１０７の処理を行なう。ステップＳ１０３は、当該画像形成装置が受信した印字データが他の画像形成装置から分割読み込みモードで読み込まれ当該画像形成装置に送信された場合の処理で、ステップＳ１０１のヘッダ情報解析処理にて抽出した情報の中から、原稿群番号、格納先記録装置番号を抽出する処理を行なう。ここで抽出された情報から、当該画像形成装置が受信した印字データが分割読み込み印字を実行する際の印字ジョブのスケジューリングを行なう。ステップＳ１０４は、当該画像形成装置が受信した分割読み込み指定された印字ジョブを指定された記録装置に格納する処理を行なう。ステップＳ１０５は、当該画像形成装置で分割読み込み印刷モードを指定した場合に、複写対象となる原稿を全て当該画像形成装置が受信したか否かを判定する処理を行い、当該画像形成装置が分割読み込みされた全てのデータを受信した場合には、ステップＳ１０６に処理を移行する。当該画像形成装置が分割読み込みされた全てのデータを受信していない場合には処理を終了し、当該画像形成装置は通常のスタンバイ状態になる。尚、当該画像形成装置を分割読み込み印刷モード指定したとき、当該画像形成装置には複写対象原稿を分割する読み込みデータ分割数を設定する。その手順は後述する。設定した読み込みデータ分割数と当該画像形成装置が受信した分割読み込みモードに指定された印字データ数を比較することで、ステップＳ１０５の処理を実施することが出来る。ステップＳ１０６は、分割読み込み印刷モードを指定された当該画像形成装置が分割して送信された複写対象画像データを全て受信した後の処理を示し、当該画像形成装置は、原稿群番号に従ってスケジューリングされ記録装置に格納されている画像データを読み出し、印刷を実行する。ステップＳ１０７は、当該画像形成装置が受信した受信データが分割読み込みモードで生成された画像データでない場合の処理を示し、この場合、受信したジョブの印刷等、画像形成装置の通常の処理を実施する。
【０００９】
図２は、本実施例１の形態によって構成したネットワークシステムである。
【００１０】
図中の２００はインターネット通信網である。２０１はウェブサーバであり、インターネット２００上に接続され、インターネットユーザーに特定のサービスを提供する。２０２は金融機関と消費者クライアントの間の決済処理などを行なう電子マネーサーバである。２０４は個人ユーザーの端末とインターネット２００との接続処理を行なうサービスプロバイダである。２０３はファイアーウォールであり、これにより下に図示したＬＡＮ２０１１内部と外部通信網（インターネット２００）とを接続し、セキュリティー管理などを行なう。２０９はＬＡＮ２０１１で接続された２０５〜２０８、２２０の各機器管理サーバーである。２０８はファイルサーバであり、ＬＡＮで接続された複数のユーザーがデータを共有することができる。
【００１１】
２２０はデジタル複写機などの画像形成装置であり、主に画像の入出力機能を有する。この画像形成装置２２０において、１４０はユーザーが各種の操作を行なうための操作部、１０は操作部１４０やパソコン２０５からの指示にしたがって画像を読み取るためのイメージスキャナ、２０はパソコン２０５やファイルサーバ２０８からのデータを用紙に印刷するプリンタである。
【００１２】
３０はコントローラユニットであり、操作部１４０やパソコン２０５からの指示に基づいてスキャナ１０、プリンタ２０に対する画像データの入出力の制御を行なう。例えば、スキャナ１０が取り込んだ画像データをコントローラ内部のメモリに蓄積したり、パソコン２０５に出力したり、あるいはプリンタ２０で印刷するなどの制御を行なう。２０６、２０７はＭＦＰ（マルチファンクションプリンタ）であり、パソコン２０５やファイルサーバ２０８からの画像データを記録媒体上にプリントすることができる。２０５は端末装置として接続されたパソコンである。インターネット２００を介してウェブサーバ２０１から提供された情報を閲覧したり、画像データを画像形成装置２２０、２０６、２０７に出力したりすることができる。
【００１３】
なお、上記構成はインターネットにファイアーウォール２０３を介してＬＡＮ２０１１が接続されている構成となっているが、サービスプロバイダ２０４を介してファイアーウォールが接続される構成でもかまわない。
【００１４】
本発明の画像処理装置の外観を図３に示す。
【００１５】
画像入力デバイスであるスキャナ部１０は、原稿画像をランプにより照射し、ＣＣＤラインセンサ（図示せず）で読み取り、電気信号に変換することで画像データとして処理を行なう。原稿用紙を原稿フィーダ１４２にセットし、装置使用者が操作部１４０から読み取り起動指示することにより、フィーダ１４２は原稿用紙を１枚ずつフィードし原稿画像の読み取り動作を行なう。
【００１６】
画像出力デバイスであるプリンタ部２０は、画像データを用紙上の画像に変換する部分であり、本特許の明細書では、感光体ドラムや感光体ベルトを用いた電子写真方式により説明を行なうが、微少ノズルアレイからインクを吐出して用紙上に直接画像を印字するインクジェット方式等であっても構わない。プリント動作の起動は、装置内部のコントローラ（後述）からの指示によって開始する。プリンタ部２０には、異なる用紙サイズまたは異なる用紙向きを選択できるように複数の給紙段を持ち、それに対応した用紙カセット１２２、１２４、１４２、１４４がある。また、画像形成された用紙は排紙トレイ１３２上に排出される。
【００１７】
図４は本発明の画像形成装置の構成を説明する断面図である。図面を用いて動作の詳細を説明する。
【００１８】
１０１は原稿台ガラスであり、原稿自動送り装置１４２から給送された原稿が順次、所定位置に載置される。１０２は例えばハロゲンランプから構成される原稿照明ランプで、原稿台ガラス１０１に載置された原稿を露光する。１０３、１０４、１０５は走査ミラーであり、図示しない光学走査ユニットに収容され、往復動しながら、原稿からの反射光をＣＣＤユニット１０６に導く。ＣＣＤユニット１０６はＣＣＤに原稿からの反射光を結像させる結像レンズ１０７、例えばＣＣＤから構成される撮像素子１０８、撮像素子１０８を駆動するＣＣＤドライバ１０９等から構成されている。撮像素子１０８からの画像信号出力は例えば８ビットのデジタルデータに変換された後、コントローラ部１３９に入力される。また、１１０は感光ドラムであり、１１２の前露光ランプによって画像形成に備えて除電される。１１３は１次帯電器であり、感光ドラム１１０を一様に帯電させる。１１７は露光手段であり、例えば半導体レーザー等で構成され、画像形成や装置全体の制御を行なうコントローラ部１３９で処理された画像データに基づいて感光ドラム１１０を露光し、静電潜像を形成する。１１８は現像器であり、黒色の現像剤（トナー）が収容されている。１１９は転写前帯電器であり、感光ドラム１１０上に現像されたトナー像を用紙に転写する前に高圧をかける。１２０、１２２、１２４、１４２、１４４は給紙ユニットであり（１２０は手差し給紙ユニット）、各給紙ローラ１２１、１２３、１２５、１４３、１４５の駆動により、転写用紙が装置内へ給送され、レジストローラ１２６の配設位置で一旦停止し、感光ドラム１１０に形成された画像との書き出しタイミングがとられ再給送される。１２７は転写帯電器であり、感光ドラム１１０に現像されたトナー像を給送される転写用紙に転写する。１２８は分離帯電器であり、転写動作の終了した転写用紙を感光ドラム１１０より分離する。転写されずに感光ドラム１１０上に残ったトナーはクリーナー１１１によって回収される。１２９は搬送ベルトで、転写プロセスの終了した転写用紙を定着器１３０に搬送し、例えば熱により定着される。１３１はフラッパであり、定着プロセスの終了した転写用紙の搬送パスを、ソーター１３２または中間トレイ１３７の配置方向のいずれかに制御する。また、１３３〜１３６は給送ローラであり、一度定着プロセスの終了した転写用紙を中間トレイ１３７に反転（多重）または非反転（両面）して給送する。１３８は再給送ローラであり、中間トレイ１３７に載置された転写用紙を再度、レジストローラ１２６の配設位置まで搬送する。
【００１９】
１３９のコントローラ部には後述するマイクロコンピュータ、画像処理部等を備えており、マンマシンインターフェース装置１４０からの指示に従って、前述の画像形成動作を行なう。
【００２０】
操作部１４０の構成を図５に示す。ＬＣＤ表示部１０３２は、ＬＣＤ上にタッチパネルシートが貼られており、システムの操作画面を表示するとともに、表示してあるキーが押されるとその位置情報をコントローラユニット３０に伝える。テンキー１０２８はコピー枚数など、数字の入力時に使用する。スタートキー１０２９は原稿画像の読み取り動作を開始する時などに用いる。ストップキー１０３０は稼働中の動作を止めるときに使用する。リセットキー１０３１は操作部からの設定を初期化する時に用いる。
【００２１】
また、１０２３はガイドキーであり、キーの機能が解らないとき押すとそのキーの説明が表示される。１０２４はコピーモードキーであり、複写を行なうときに押す。１０２５はファクスキーであり、ファクスに関する設定を行なうときに押す。１０２６はファイルキーであり、ファイルデータを出力したいときに押す。１０２７はプリンターキーであり、コンピュータ等の外部装置からのプリント出力に関する設定などを行なうときに使用する。
【００２２】
コントローラユニットの構成図を図６に示す。コントローラユニット３０は画像入力デバイスであるスキャナ１０や画像出力デバイスであるプリンタ２０と接続し、一方ではＬＡＮ６１８や公衆回線（ＷＡＮ）６１９接続することで、画像情報やデバイス情報の入出力を行なう為のコントローラである。ＣＰＵ６０１はシステム全体を制御するコントローラである。ＲＡＭ６０２はＣＰＵ６０１が動作するためのシステムワークメモリであり、画像データを一時記憶するための画像メモリでもある。ＲＯＭ６０６はブートＲＯＭであり、システムのブートプログラムが格納されている。ＨＤＤ６０７はハードディスクドライブで、システムソフトウェア、画像データ、ソフトウェアカウンタ値などを格納する。操作部Ｉ／Ｆ６０３は操作部（ＵＩ）１４０とのインターフェース部で、操作部１４０に表示する画像データを操作部１４０に対して出力する。また、操作部１４０から本システム使用者が入力した情報を、ＣＰＵ６０１に伝える役割をする。Ｎｅｔｗｏｒｋ６０４はＬＡＮ６１８に接続し、情報の入出力を行なう。Ｍｏｄｅｍ６０５は公衆回線６１９に接続し、情報の入出力を行なう。スキャナ、プリンタ通信Ｉ／Ｆはスキャナ１０、プリンタ２０のＣＰＵとそれぞれ通信を行なうためのＩ／Ｆである。以上のデバイスがシステムバス６０９上に配置される。
【００２３】
Ｉｍａｇｅ  Ｂｕｓ  Ｉ／Ｆ６０８はシステムバス６０９と画像データを高速で転送する画像バス６１７を接続し、データ構造を変換するバスブリッジである。画像バス６１７は、ＰＣＩバスまたはＩＥＥＥ１３９４で構成される。画像バス６１７上には以下のデバイスが配置される。ラスターイメージプロセッサ（ＲＩＰ）６１６はＰＤＬコードをビットマップイメージに展開する。デバイスＩ／Ｆ部６１１は、画像入出力デバイスであるスキャナ１０やプリンタ２０とコントローラ３０を接続し、画像データの同期系／非同期系の変換を行なう。スキャナ画像処理部６１５は、入力画像データに対し補正、加工、編集を行なう。プリンタ画像処理部は、プリント出力画像データに対して、プリンタの補正、解像度変換等を行なう。画像回転部６１３は画像データの回転を行なう。画像圧縮部６１２は、多値画像データはＪＰＥＧ、２値画像画像データはＪＢＩＧ、ＭＭＲ、ＭＨの圧縮伸張処理を行なう。
【００２４】
以下、図６に示したコントローラユニット３０内の各ブロックの説明を行なう。
【００２５】
図７はスキャナ画像処理部６１５の構成を示す。画像バスＩ／Ｆコントローラ２０８１は、画像バス６１７と接続し、そのバスアクセスシーケンスを制御する働きと、スキャナ画像処理部６１５内の各デバイスの制御及びタイミングを発生させる。フィルタ処理部２０８２は、空間フィルタでコンボリューション演算を行なう。編集部２０８３は、例えば入力画像データからマーカーペンで囲まれた閉領域を認識して、その閉領域内の画像データに対して、影つけ、網掛け、ネガポジ反転等の画像加工処理を行なう。変倍処理部２０８４は、読み取り画像の解像度を変える場合にラスターイメージの主走査方向について補間演算を行い拡大、縮小を行なう。副走査方向の変倍については、画像読み取りラインセンサ（図示せず）を走査する速度を変えることで行なう。テーブル２０８５は、読み取った輝度データである画像データを濃度データに変換するために、行なうテーブル変換である。２値化２０８６は、多値のグレースケール画像データを、誤差拡散処理やスクリーン処理によって２値化する。
【００２６】
処理が終了した画像データは、再び画像バスコントローラ２０８１を介して、画像バス上に転送される。
【００２７】
プリンタ画像処理部６１４の構成を図８に示す。画像バスＩ／Ｆコントローラ２０９１は、画像バス６１７と接続し、そのバスアクセスシーケンスを制御する働きと、プリンタ画像処理部６１４内の各デバイスの制御及びタイミングを発生させる。解像度変換部２０９２は、Ｎｅｔｗｏｒｋ６１８あるいは公衆回線６１９から来た画像データを、プリンタ２０の解像度に変換するための解像度変換を行なう。スムージング処理部２０９３は、解像度変換後の画像データのジャギー（斜め線等の白黒境界部に現れる画像のがさつき）を滑らかにする処理を行なう。
【００２８】
画像圧縮部６１２の構成を図９に示す。画像バスＩ．／Ｆコントローラ２０４１は、画像バス６１７と接続し、そのバスアクセスシーケンスを制御する働き、入力バッファ２０４２・出力バッファ２０４５とのデータのやりとりを行なうためのタイミング制御及び、画像圧縮部２０４３に対するモード設定などの制御を行なう。以下に画像圧縮処理部の処理手順を示す。
【００２９】
画像バス６１７を介して、ＣＰＵ６０１から画像バスＩ／Ｆコントローラ２０４１に画像圧縮制御のための設定を行なう。この設定により画像バスＩ／Ｆコントローラ２０４１は画像圧縮部２０４３に対して画像圧縮に必要な設定（たとえばＭＭＲ圧縮・ＪＢＩＧ伸長等の）を行なう。必要な設定を行った後に、再度ＣＰＵ６０１から画像バスＩ／Ｆコントローラ２０４１に対して画像データ転送の許可を行なう。この許可に従い、画像バスＩ／Ｆコントローラ２０４１はＲＡＭ６０２もしくは画像バス６１７上の各デバイスから画像データの転送を開始する。受け取った画像データは入力バッファ２０４２に一時格納され、画像圧縮部２０４３の画像データ要求に応じて一定のスピードで画像を転送する。この際、入力バッファは画像バスＩ／Ｆコントローラ２０４１と、画像圧縮部２０４３両者の間で、画像データを転送できるかどうかを判断し、画像バス６１７からの画像データの読み込み及び、画像圧縮部２０４３への画像の書き込みが不可能である場合は、データの転送を行わないような制御を行なう（以後このような制御をハンドシェークと呼称する）。画像圧縮部２０４３は受け取った画像データを、一旦ＲＡＭ２０４４に格納する。これは画像圧縮を行なう際には行なう画像圧縮処理の種類によって、数ライン分のデータを要するためであり、最初の１ライン分の圧縮を行なうためには数ライン分の画像データを用意してからでないと画像圧縮が行えないためである。画像圧縮を施された画像データは直ちに出力バッファ２０４５に送られる。出力バッファ２０４５では、画像バスＩ／Ｆコントローラ２０４１及び画像圧縮部２０４３とのハンドシェークを行い、画像データを画像バスＩ／Ｆコントローラ２０４１に転送する。画像バスＩ／Ｆコントローラ２０４１では転送された圧縮（もしくは伸長）された画像データをＲＡＭ６０２もしくは画像バス６１７上の各デバイスにデータを転送する。こうした一連の処理は、ＣＰＵ６０１からの処理要求が無くなるまで（必要なページ数の処理が終わったとき）、もしくはこの画像圧縮部から停止要求が出るまで（圧縮及び伸長時のエラー発生時等）繰り返される。
【００３０】
画像回転部６１３の構成を図１０に示す。画像バスＩ／Ｆコントローラ２０３１は、画像バス６１７と接続し、そのバスシーケンスを制御する働き、画像回転部２０３２にモード等を設定する制御及び、画像回転部２０３２に画像データを転送するためのタイミング制御を行なう。以下に画像回転部の処理手順を示す。
【００３１】
画像バス６１７を介して、ＣＰＵ６０１から画像バスＩ／Ｆコントローラ２０３１に画像回転制御のための設定を行なう。この設定により画像バスＩ／Ｆコントローラ２０３１は画像回転部２０３２に対して画像回転に必要な設定（たとえば画像サイズや回転方向・角度等）を行なう。必要な設定を行った後に、再度ＣＰＵ６０１から画像バスＩ／Ｆコントローラ２０３１に対して画像データ転送の許可を行なう。この許可に従い、画像バスＩ／Ｆコントローラ２０３１はＲＡＭ６０２もしくは画像バス６１７上の各デバイスから画像データの転送を開始する。尚、ここでは３２ｂｉｔをそのサイズとし回転を行なう画像サイズを３２×３２（ｂｉｔ）とし、又、画像バス６１７上に画像データを転送させる際に３２ｂｉｔを単位とする画像転送を行なうものとする（扱う画像は２値を想定する）。
【００３２】
上述のように、３２×３２（ｂｉｔ）の画像を得るためには、上述の単位データ転送を３２回行なう必要があり、且つ不連続なアドレスから画像データを転送する必要がある。（図１１参照）
不連続アドレッシングにより転送された画像データは、読み出し時に所望の角度に回転されているように、ＲＡＭ２０３３に書き込まれる。例えば、９０度反時計方向回転であれば、最初に転送された３２ｂｉｔの画像データを、図１２のようにＹ方向に書き込んでいく。読み出し時にＸ方向に読み出すことで、画像が回転される。
【００３３】
３２×３２（ｂｉｔ）の画像回転（ＲＡＭ２０３３への書き込み）が完了した後、画像回転部２０３２はＲＡＭ２０３３から上述した読み出し方法で画像データを読み出し、画像バスＩ／Ｆコントローラ２０３１に画像を転送する。
回転処理された画像データを受け取った画像バスＩ／Ｆコントローラ２０３１は、連続アドレッシングを以って、ＲＡＭ６０２もしくは画像バス６１７上の各デバイスにデータを転送する。
【００３４】
こうした一連の処理は、ＣＰＵ６０１からの処理要求が無くなるまで（必要なページ数の処理が終わったとき）繰り返される。
【００３５】
デバイスＩ／Ｆ部６１１の構成を図１３に示す。画像バスＩ／Ｆコントローラ２０２１は、画像バス６１７と接続し、そのバスアクセスシーケンスを制御する働きと、デバイスＩ／Ｆ部６１１内の各デバイスの制御及びタイミングを発生させる。また、スキャナ１０及びプリンタ２０への制御信号を発生させる。スキャンバッファ２０２２は、スキャナ１０から送られてくる画像データを一時保存し、画像バス６１７に同期させて画像データを出力する。シリアルパラレル・パラレルシリアル変換２０２３は、スキャンバッファ２０２２に保存された画像データを順番に並べて、あるいは分解して、画像バス６１７に転送できる画像データのデータ幅に変換する。パラレルシリアル・シリアルパラレル変換２０２４は、画像バス６１７から転送された画像データを分解して、あるいは順番に並べて、プリントバッファ２０２５に保存できる画像データのデータ幅に変換する。プリントバッファ２０２５は、画像バス６１７から送られてくる画像データを一時保存し、プリンタ２０に同期させて画像データを出力する。
【００３６】
画像スキャン時の処理手順を以下に示す。スキャナ１０から送られてくる画像データをスキャナ１０から送られてくるタイミング信号に同期させて、スキャンバッファ２０２２に保存する。そして、画像バス６１７がＰＣＩバスの場合には、バッファ内に画像データが３２ビット以上入ったときに、画像データを先入れ先出しで３２ビット分、バッファからシリアルパラレル・パラレルシリアル変換２０２３に送り、３２ビットの画像データに変換し、画像バスＩ／Ｆコントローラ２０２１を通して画像バス６１７上に転送する。また、画像バス６１７がＩＥＥＥ１３９４の場合には、バッファ内の画像データを先入れ先出しで、バッファからシリアルパラレル・パラレルシリアル変換２０２３に送り、シリアル画像データに変換し、画像バスＩ／Ｆコントローラ２０２１を通して画像バス６１７上に転送する。
【００３７】
画像プリント時の処理手順を以下に示す。画像バス６１７がＰＣＩバスの場合には、画像バスから送られてくる３２ビットの画像データを画像バスＩ／Ｆコントローラで受け取り、パラレルシリアル・シリアルパラレル変換２０２４に送り、プリンタ２０の入力データビット数の画像データに分解し、プリントバッファ２０２５に保存する。また、画像バス６１７がＩＥＥＥ１３９４の場合には、画像バスからおくられてくるシリアル画像データを画像バスＩ／Ｆコントローラで受け取り、パラレルシリアル・シリアルパラレル変換２０２４に送り、プリンタ２０の入力データビット数の画像データに変換し、プリントバッファ２０２５に保存する。そして、プリンタ２０から送られてくるタイミング信号に同期させて、バッファ内の画像データを先入れ先出しで、プリンタ２０に送る。
【００３８】
図１４は、本実施例１の形態における当該画像形成装置に分割読み込み印刷を設定する場合の処理の流れを示した図である。ステップＳ１４０１は、分割読み込み印刷を実行する設定を行なうか否かを選択する処理を示す。ここで、分割読み込み印刷を実行する設定を行なう場合にはステップＳ１４０２の処理へ、分割読み込み印刷を実行する設定を行なわない場合には、ステップＳ１４０４へ処理が移行する。ステップＳ１４０２は、当該画像形成装置で分割読み込み印刷を実行する設定を行なった場合の処理で、ここでは、分割読み込みモードでデータが読み込まれ、当該画像形成装置に送信されてきた分割読み込み対応データを当該画像形成装置が内蔵している記録装置に書き込む場合の書き込み先記録装置番号を設定する。ステップＳ１４０３は分割読み込み印刷を実行する場合に、複写対象原稿を分割する数を設定する。ステップＳ１４０４は、ステップＳ１４０１で当該画像形成装置で分割読み込み印刷を実行する設定を行なわなかった場合の処理で、当該画像形成装置は通常処理を実施する。
【００３９】
図１５は、本実施例１の形態における他の画像形成装置にて分割読み込みモードで複写対象原稿を読み込む際の処理の流れを示した図である。ステップＳ１５０１は、分割読み込みの実施を指定する処理を行なう。本指定は、画像形成装置の操作パネルから行なう。ステップＳ１５０２は、分割読み込みモードで読み込んだ画像データの送付先画像形成装置を設定する処理を行なう。本設定も画像形成装置の操作パネルから行なう。ステップＳ１５０３は、分割読み込みモードで読み込む複写対象原稿に対し、分割した原稿のどの位置に属するかを設定する処理を行なう。本設定も画像形成装置の操作パネルから行なう。ステップＳ１５０４は、各種設定を終了して画像形成装置が原稿を読み込む処理を行なう。ステップＳ１５０４において、原稿の読み込みが終了したら画像形成装置は、ステップＳ１５０２で指定した送信先にあたる分割読み込み印刷モードが設定されている画像形成装置に対し、読み込んだデータを送信する。
【実施例２】
【００４０】
図１６は、本実施例２の形態によって構成したネットワークシステムである。
【００４１】
図中の１６００はインターネット通信網である。１６０１はウェブサーバであり、インターネット１６００上に接続され、インターネットユーザーに特定のサービスを提供する。１６０２は金融機関と消費者クライアントの間の決済処理などを行なう電子マネーサーバである。１６０４はファイアーウォールである。１６１０はＭＦＰ（マルチファンクションプリンタ）である。１６０３もファイアーウォールであり、これにより下に図示したＬＡＮ１６０１１内部と外部通信網（インターネット１６００）とを接続し、セキュリティー管理などを行なう。１６０９はＬＡＮ２０１１で接続された１６０５〜１６０８、２２０の各機器管理サーバーである。１６０８はファイルサーバであり、ＬＡＮで接続された複数のユーザーがデータを共有することができる。
【００４２】
２２０はデジタル複写機などの画像形成装置であり、主に画像の入出力機能を有する。この画像形成装置２２０において、１４０はユーザーが各種の操作を行なうための操作部、１０は操作部１４０やパソコン１６０５からの指示にしたがって画像を読み取るためのイメージスキャナ、２０はパソコン１６０５やファイルサーバ１６０８からのデータを用紙に印刷するプリンタである。３０はコントローラユニットであり、操作部１４０やパソコン１６０５からの指示に基づいてスキャナ１０、プリンタ２０に対する画像データの入出力の制御を行なう。例えば、スキャナ１０が取り込んだ画像データをコントローラ内部のメモリに蓄積したり、パソコン１６０５に出力したり、あるいはプリンタ２０で印刷するなどの制御を行なう。１６０６、１６０７はＭＦＰ（マルチファンクションプリンタ）であり、パソコン１６０５やファイルサーバ１６０８からの画像データを記録媒体上にプリントすることができる。１６０５は端末装置として接続されたパソコンである。インターネット１６００を介してウェブサーバ１６０１から提供された情報を閲覧したり、画像データを画像形成装置２２０、１６０６、１６０７に出力したりすることができる。
【００４３】
図１７は、本実施例２の形態における、当該画像形成装置に複写データ収集の為の設定を行なうフローを明示した図である。ステップＳ１７０１は、ネットワーク上に接続されている他の画像形成装置やホストコンピュータ等が当該画像形成装置に複写データを送信したとき、当該画像形成装置が受信した印刷データの判別を行なう為の識別子を設定する処理を行なう。ステップＳ１７０２は、当該画像形成装置がステップＳ１７０１で設定した識別子が付加された画像データを受信する数を設定する処理を示す。ステップＳ１７０３は、当該画像形成装置がステップＳ１７０１で設定した識別子をもつ印刷データを受信した場合に、受信した印刷データを格納する格納先を指定する処理を行なう。設定は全て当該画像形成装置の操作パネルから実施する。
【００４４】
図１８は、本実施例２の形態における、当該画像形成装置が他の画像形成装置から送信された印刷データを受信したときの処理フローを明示した図である。ステップＳ１８０１は、当該画像形成装置が受信したデータに付加されているヘッダ情報を解析する処理を行なう。ステップＳ１８０２は、当該画像形成装置が受信したデータに識別子が付加されているか否かの処理で、当該画像形成装置が受信したデータに識別子が付加されている場合にはステップＳ１８０３へ、当該画像形成装置が受信したデータに識別子が付加されていない場合にはステップＳ１８０７へ処理を移行する。ステップＳ１８０３は、ステップＳ１８０１においてヘッダ解析を行なわれた受信画像データに識別子が付加されている場合の処理で当該画像形成装置でステップＳ１７０３で設定された当該画像形成装置が所有する格納先に受信したデータを保存する処理を行なう。ステップＳ１８０４は、ステップＳ１７０２で指定された受信データ数が設定されているカウンタ値をディクリメントする処理を行なう。ステップＳ１８０５は、ステップＳ１８０４で演算したカウンタ値が０（零）になったか否かの判定を行なう。ステップＳ１８０５でカウンタ値が０（零）であれば処理をステップＳ１８０６に移行し、カウンタ値が０（零）で無ければ処理を終了する。ステップＳ１８０６は、ステップＳ１７０１で設定した識別子が付加された印刷データを当該画像形成装置が全て受信した場合の処理で、当該画像形成装置の設定に従って印刷を実行する。ステップＳ１８０７は、ステップＳ１８０２で当該画像形成装置が受信したデータに識別子が付加されていなかった場合の処理で、そのまま、通常の画像形成装置に設定された処理を実施する。
【００４５】
図１９は、本実施例２の形態における他の画像形成装置で識別子を設定し画像を出力する画像形成装置を指定して、印刷データを送信する処理の流れを示した図である。ステップＳ１９０１は、読み込みデータに対し識別子を設定する処理を行なう。本指定は、画像形成装置の操作パネルから行なう。ステップＳ１９０２は、読み込みデータに対し画像データの送付先画像形成装置を設定する処理を行なう。本設定も画像形成装置の操作パネルから行なう。ステップＳ１９０３は、各種設定を終了して画像形成装置が原稿を読み込む処理を行なう。ステップＳ１５０３において、原稿の読み込みが終了したら画像形成装置は、ステップＳ１５０２で指定した送信先にあたる分割読み込み印刷モードが設定されている画像形成装置に対し、読み込んだデータを送信する。
【００４６】
前述の実施例においては、当該画像形成装置、ならびに他の画像形成装置に対しパネル操作を行なうことで処理設定を行なうように記述したが、画像形成装置にあらかじめ、本機能を実現するボタンを準備していても構わない。
【図面の簡単な説明】
【００４７】
【図１】本実施例１の形態における分割読み込みモード印刷のフローを明示したものである。
【図２】本発明の画像処理装置を含むネットワークシステムを示す図である。
【図３】本発明の画像処理装置の外観を示すである。
【図４】画像処理装置の全体構成を示す断面図である。
【図５】操作部を示す図である。
【図６】コントローラユニットの構成を示す図である。
【図７】スキャナ画像処理部のブロック図を示す図である。
【図８】プリンタ画像処理部のブロック図を示す図である。
【図９】画像圧縮処理部のブロック図を示す図である。
【図１０】画像回転部のブロック図を示す図である。
【図１１】画像回転処理の説明図を示す図である。
【図１２】画像回転処理の説明図を示す図である。
【図１３】デバイスＩ／Ｆ部のブロック図を示す図である。
【図１４】本実施例１の形態における当該画像形成装置に分割読み込み印刷を設定する場合の処理の流れを示した図である。
【図１５】本実施例１の形態における他の画像形成装置にて分割読み込みモードで複写対象原稿を読み込む際の処理の流れを示した図である。
【図１６】本実施例２の形態によって構成したネットワークシステムである。
【図１７】本実施例２の形態における、当該画像形成装置に複写データ収集の為の設定を行なうフローを明示した図である。
【図１８】本実施例２の形態における、当該画像形成装置が他の画像形成装置から送信された印刷データを受信したときの処理フローを明示した図である。
【図１９】本実施例２の形態における他の画像形成装置で識別子を設定し画像を出力する画像形成装置を指定して、印刷データを送信する処理の流れを示した図である。
【図１】
2006237988.tif 000003
【図２】
2006237988.tif 000004
【図３】
2006237988.tif 000005
【図４】
2006237988.tif 000006
【図５】
2006237988.tif 000007
【図６】
2006237988.tif 000008
【図７】
2006237988.tif 000009
【図８】
2006237988.tif 000010
【図９】
2006237988.tif 000011
【図１０】
2006237988.tif 000012
【図１１】
2006237988.tif 000013
【図１２】
2006237988.tif 000014
【図１３】
2006237988.tif 000015
【図１４】
2006237988.tif 000016
【図１５】
2006237988.tif 000017
【図１６】
2006237988.tif 000018
【図１７】
2006237988.tif 000019
【図１８】
2006237988.tif 000020
【図１９】
2006237988.tif 000021